【事件の表示】
　平成　９年特許願第１５８０１１号「袋体およびその製造方法」拒絶査定不服審判事件〔平成１０年１２月１５日出願公開、特開平１０−３２９８４６〕について、次のとおり審決する。
【結　論】
　本件審判の請求は、成り立たない。
【理　由】
１．手続の経緯
　本願は、平成９年５月３０日の出願であって、平成１４年９月３日付で拒絶査定がなされ、これに対し、同年１０月１０日に拒絶査定に対する審判請求がなされるとともに、同年１１月１１日付けで手続補正がなされたものである。
　
２．平成１４年１１月１１日付けの手続補正についての補正却下の決定
［補正却下の決定の結論］
　　平成１４年１１月１１日付けの手続補正を却下する。
［理由］
（１）特許法第１７条の２第４項違反（補正の目的違反）について
（１）−１　補正前の請求項１の記載について
　本件補正前の特許請求の範囲は、平成１４年３月１１日付け手続補正書で補正された明細書の特許請求の範囲に記載された請求項１〜１２からなると認められるところ、同請求項１の記載は以下のとおりである。
「熱融着性合成樹脂によって形成された第１のシートおよび熱融着性合成樹脂によって形成された第２のシートとからなり、前記第１のシートと第２のシートとがその周縁部の連結部において連結されて袋部が形成されるとともに第１のシートと第２のシートとが連結されずに開口部が形成されてなる袋体であって、前記第１のシートおよび前記第２のシートの前記連結部は、袋体の開口部を除き、前記第１のシートおよび前記第２のシートが一体的に連続している部分を除いて周縁部に沿って溶着されておよび／または前記第１のシートおよび前記第２のシートが一体的に連続している部分を除いて周縁部に沿って溶断されて形成され、前記第１のシートと前記第２のシートの対向する面であって前記開口部の端部の近傍であって連結部の内側の近傍において熱接着性接着剤で接着されてなる補強部が形成される、袋体。」
　
（１）−２　補正後の請求項１の記載について
　本件補正により特許請求の範囲の請求項１は、「熱融着性合成樹脂によって形成された矩形の第１のシートおよび熱融着性合成樹脂によって形成された矩形の第２のシートからなり、前記第１のシートと前記第２のシートとがその周縁部の３辺の連結部において連結されて袋部が形成されるとともに、前記第１のシートと前記第２のシートとが連結されずに開口部が形成されてなる袋体であって、前記第１のシートおよび前記第２のシートの前記連結部は、前記第１のシートおよび前記第２のシートが袋体の周縁部の３辺に沿って溶着されて形成され、前記第１のシートと前記第２のシートとの対向する面であって前記開口部の端部の近傍であって前記連結部の内側の近傍において前記開口部の両隅に熱接着性接着剤で接着されてなる補強部が形成される、袋体。」と補正された。
　
（１）−３　判断
　ここで、本件補正が、特許法第１７条の２第４項の規定に適合するか否かについて検討する。
　補正前の請求項１と補正後の請求項１の記載とを対比しつつ検討をすすめるに、補正前の請求項１では、「袋体の開口部を除き、前記第１のシートおよび前記第２のシートが一体的に連続している部分を除いて周縁部に沿って溶着されておよび／または前記第１のシートおよび前記第２のシートが一体的に連続している部分を除いて周縁部に沿って溶断されて形成され、」ることを発明を特定するために必要な事項としており、ここで、「前記第１のシートおよび前記第２のシートが一体的に連続している部分を除いて」との記載は、「前記第１のシートおよび前記第２のシートが一体的に連続している部分」が存在することを前提に、当該「一体的に連続している部分を除いて」と解される。
　しかしながら、本件補正により、補正後の請求項１では、「前記第１のシートおよび前記第２のシートが一体的に連続している部分」を有するとの技術的限定がなくなったため、上記補正は、同法第１７条の２第４項第２号に掲げられた、特許請求の範囲の減縮を目的とするものでないことは明らかであり、また、同項第１号、３号、４号に掲げられた、請求項の削除、誤記の訂正、明りようでない記載の釈明を目的とするものの何れかに該当するものでもない。
　なお、補正前の残余の請求項の記載と補正後の請求項１の記載を比較してみても、既述の如く、補正前の請求項１の記載と補正後の請求項１の記載との対比において、特許法第１７条の２第４項の規定に違反する以上、補正前の請求項１に従属する補正前の請求項２〜８の記載と補正後の請求項１の記載との対比においても、特許法第１７条の２第４項の規定に違反することは明らかであり、更に、補正前の請求項９〜１２に係る発明は、何れも、袋体の製造方法の発明に関するものであるが、補正前の請求項９では、「第１の原シートおよび前記第２の原シートが一体的に連続している部分」を有することを、補正前の請求項１０では「前記第１のシートおよび前記第２のシート間において前記開口部を有する前記袋部を形成し並列した複数の袋体間にミシン目を形成する」ことを、補正前の請求項１１では「前記原シートを折り曲げて前記原シートの第１面と第２面とを対向させ」ることを、補正前の請求項１２では「前記原シートを折り曲げて前記原シートの第１面と第２面とを対向させ」ると共に「前記第１のシートおよび前記第２のシート間において前記開口部を有する前記袋部を形成し並列した複数の袋体間にミシン目を形成する」ことを、各々、発明を特定するために必要な事項としていたが、本件補正により、補正後の請求項１に係る発明は、これらの事項を発明を特定するために必要な事項とはしなくなったため、上記補正は、補正前の請求項９〜１２の記載と補正後の請求項１の記載との対比においても、同法第１７条の２第４項第２号に掲げられた、特許請求の範囲の減縮を目的とするものでないことは明らかであり、また、同項第１号、３号、４号に掲げられた、請求項の削除、誤記の訂正、明りようでない記載の釈明を目的とするものの何れかに該当するものでもない。
　
（２）特許法第１７条の２第５項において準用する同法第１２６条第４項の規定違反（独立特許要件違反）について
（２）−１　本願補正発明
　補正後の請求項３に記載された発明（以下、「本願補正発明」という。）は、以下のとおりである。
「一体的に連続する熱融着性合成樹脂によって形成されたシートを折り曲げて形成された矩形の第１のシートおよび矩形の第２のシートからなり、前記第１のシートと前記第２のシートとがその周縁部の３辺の連結部において連結されて袋部が形成されるとともに、前記第１のシートと前記第２のシートとが連結されずに開口部が形成されてなる袋体であって、前記第１のシートおよび前記第２のシートの前記連結部は、前記第１のシートと前記第２のシートとの間で折り曲げられ、そして前記第１のシートおよび前記第２のシートが一体的に連続している折り曲げ部分を除いて周縁部の両側の２辺に沿って溶着されて形成され、前記第１のシートと前記第２のシートとの対向する面であって前記開口部の端部の近傍であって前記連結部の内側の近傍において前記開口部の両隅に熱接着性接着剤で接着されてなる補強部が形成される、袋体。」
　
（２）−２　引用発明
　原査定の拒絶理由で引用され、本願出願前の平成２年３月１４日に頒布された特開平２−７４３２４号公報（以下、「引用刊行物１」と言う。）には、図面と共に、以下の記載事項（ア）〜（カ）が記載されている。
（ア）「長尺の延伸プラスチックフィルムを軸方向略中央から折返し、長手方向に所定間隔離間して加熱刃で切断すると同時にその切断面を溶着して成る溶断シール袋の製造方法において、前記延伸プラスチックフィルムはその折返し線周辺に沿ってヒートシール剤が塗布されていることを特徴とする溶断シール袋の製造方法。」（特許請求の範囲）
（イ）「これに対し、長尺のプラスチックフィルムを用い、これを幅方向略中央から折り返して加熱刃で長手方向に所定間隔離間して切断すると同時に溶融シールして形成される溶断シール袋は単一樹脂層から成るフィルムからでも製造が可能であり、しかも安価に製造できるという利点を有していた。・・・上記のようにしてつくられた溶断シール袋においては、・・・その冷却時におけるプラスチックフィルム自体の弾性のため、折り返し線附近の溶断シール部分で剥離して孔が開きやすいという欠点を有していた。本発明は上記欠点に鑑みてなされたものであり、その目的とするところは、前記溶断シールを行った場合でも、折り返し線附近の溶断シール部分の剥離や孔開きが生じない溶断シール袋及び溶断シール袋の製造方法を提供することにある。」（公報第１頁右欄第６行〜第２頁左上欄第７行）
（ウ）「第１図によれば、本発明の溶断シール袋は、例えば、一軸延伸ポリプロピレン、又は二軸延伸ポリエチレンテレフタレートの長尺延伸プラスチックフィルム１を用い、その長手方向に沿って、幅方向略中央部にヒートシール剤２を予め塗布し、該略中央部から折り返して折り返し線３を形成し、前記プラスチックフィルムの両側端を重ね、図中矢印方向に移動するフィルム１を加熱刃６で間欠的に切断して形成される。このとき、前記加熱刃６はフィルム１の軟化点以上の温度に加熱されているので、フィルム１はその切断と同時に両側で溶着され溶断シール部４が形成される。」（公報第２頁右上欄第９〜２０行）
（エ）「また、溶断シール部４の折り返し線付近５は、ヒートシール剤２が塗布されているため加熱刃６の切断により更に強固に溶着され、剥離及び孔開きのない溶断シール袋が形成される。」（公報第２頁右上欄第２０行〜左下欄第４行）
（オ）「本発明においては、上記ヒートシール剤としては周知のヒートシール剤を用いることができ、例えばアイオノマー樹脂（エチレン・アクリル酸共重合体のイオン性共重合体）、エチレン−（メタ）−アクリル酸エステル等が好ましく用いられる。このようなヒートシール剤はいずれも延伸プラスチックフィルムより低い温度で強固に接着するものである。従って、折り返し線附近を更にローラ等で押圧することなしに十分な接着力を得ることができる。」（公報第２頁左下欄第５〜１４行）
（カ）「上記実施例においては特に本発明の好ましい一実施態様について説明したが、本発明の範囲内においては上記実施例に限定されることなく、例えばヒートシール剤は折り返し線３に沿って所定の幅で必ずしも全部塗布することを要しない。」（公報第２頁右下欄第１２〜１６行）
　ここで、上記（イ）、（エ）、（オ）の記載から、引用刊行物１には、「長尺の延伸プラスチックフィルムを軸方向略中央から折返し、長手方向に所定間隔離間して加熱刃で切断すると同時にその切断面を溶着して成る溶断シール袋」では、「折り返し線附近の溶断シール部分で剥離して孔が開きやすいという欠点」があったとの認識の下、この欠点を解決するために、「溶断シール部の折り返し線付近に、延伸プラスチックフィルムより低い温度で強固に接着するヒートシール剤を塗布することにより、加熱刃の切断時に、更に強固に溶着する」こと、すなわち、「折り返し線附近の溶断シール部分という補強すべき部分に、延伸プラスチックフィルムより低い温度で強固に接着するヒートシール剤を塗布することにより、前記補強すべき部分を強固に接着する」という技術を把握することが可能である。
　以上を踏まえ、第１図〜第３図を参照しつつ上記（ア）〜（カ）の記載を総合してみると、引用刊行物１には、
「長尺の延伸プラスチックフィルムを軸方向略中央から折返し、長手方向に所定間隔離間して加熱刃で切断すると同時にその切断面を溶着して成る溶断シール袋において、折り返し線附近の溶断シール部分という補強すべき部分に、延伸プラスチックフィルムより低い温度で強固に接着するヒートシール剤を塗布することにより、前記補強すべき部分を強固に接着する溶断シール袋」の発明（以下、「引用発明１」という。）が記載されているものと認める。
　
　同じく、原査定の拒絶理由で引用され、本願出願前の平成６年３月１５日に頒布された特開平６−７１７４８号公報（以下、「引用刊行物２」と言う。）には、図面と共に、以下の記載事項（キ）〜（サ）が記載されている。
（キ）「 ヒートシール性チューブの・・・口部サイドシールが袋口部両縁に横断シール幅の１.５倍以上の長さ及びチューブ幅の０.５〜５％幅で施されている重点部分サイドシール付き底シール袋。」（【請求項１】）
（ク）「・・・熱可塑性樹脂から主としてインフレーション成形法によって得られるチューブに横断シールを施し、次に横断シールの付近を横に切断することによって多数の袋状容器を作成することは既に常用されている。・・・しかし、得られる袋状容器には、その口縁部の屈曲もしくは両肩に裂け目発生・・・。」（段落【０００２】〜【０００３】）
（ケ）「・・・図１の(a)はヒートシール性熱可塑性樹脂のインフレーション成形によって得られた従来の横断シール付き長尺インフレーションチューブの一部分を示す。図１の(a)における横断シールＳＴu1及びＳＴu2それぞれの下流側で線Ｘu1−Ｘu1上及び線Ｘu2−Ｘu2上を切断すれば、底シールＳＴu2付き単体袋状物が得られる。この従来の単体袋状物が伴う欠点は前述の通りである。・・・図１の(b)は本発明の重点部分サイドシール付き底シール袋の数種の態様及びその製造概念を示す。・・・得られたＨ型底シールチューブにおいて横断シールＳＴ01の稍下流側であってサイドシールＳ1a及びサイドシールＳ1b上を通過する位置で線Ｘ1−Ｘ1に沿ってチューブを切断する。それと共に（「同時に」又は「逐次に」の何れをも包含）、下流側に隣合う横断シールＳＴ12の稍下流側であってサイドシールＳ2a及びサイドシールＳ2b上を通過（連絡）する位置で線Ｘ2−Ｘ2に沿って切断すれば、図２の(a)に示されている口部両縁（左右縁）及び横断シール（底シール）両縁の４個所にサイドシールが施された（Ｈ型底シール付き）本発明の重点部分サイドシール付き底シール袋が得られる。」（段落【００１０】〜【００１３】）
（コ）「図１の(b)に示された様に素材チューブＦの表面に、サイドシールＳ01a及びＳ01bを両端に備えた横断シールＳＴ01からなるＨ型底シールＢＳ0並びにその下流側に重点部分サイドシールＳ12a及びＳ12bを両端に備えた横断シールＳＴ12からなるＨ型底シールＢＳ1を形成させる。・・・例えば、上記横断シールＳＴ01の稍下流側でサイドシールＳ01a及びサイドシールＳ01bの下流側部分を横切る線Ｘ1−Ｘ1上並びに上記横断シールＳＴ12の稍下流側でサイドシールＳ12a及びサイドシールＳ12bの下流側部分を横切る線Ｘ2−Ｘ2上を切断する。その結果、図２の(a)に示される単体袋状物が得られる。」（段落【００２５】、【００２６】）
（サ）「【発明の効果】本発明の重点部分サイドシール付き底シール袋から得られる単体袋状物は下記の効果を発揮する：・口部両縁におけるサイドシールが口部の折れ曲がり又は捲れを防止する外に裂け目の発生を予防する・・・」（段落【００３８】）
　
　ここで、上記記載（ク）、（サ）から、熱可塑性樹脂をシールすることにより得られる袋状容器において、その口部両縁に裂け目が発生することがあったことが技術課題として認識されていたことが明らかであり、また、第２図(a)及び、第１図(a)(b)を参照しつつ上記（キ）、（ケ）、（コ）の記載をみると、袋状容器の開口部の両端部の内側近傍であって該開口部の両隅部に重点部分サイドシールを設けることが把握される。
　以上を踏まえると、引用刊行物２には、「熱可塑性樹脂をシールすることにより得られる袋状容器において、その口部両縁に裂け目が発生することを防止するために、袋状容器の開口部の両端部の内側近傍であって該開口部の両隅部に重点部分サイドシールを設けた袋状容器」の発明（以下、「引用発明２」という。）が記載されているものと認める。
　
（２）−３　対比・判断
　まず、引用発明１において、「所定間隔離間して」、「切断」された「延伸プラスチックフィルム」は、折返し部分である軸方向略中央部分を境に２つのシート部を構成することが自明であるところ、該２つのシート部分は、本願補正発明の「第１のシートと第２のシート」に相当し、また、引用発明１における「軸方向略中央」部分、及び、「長手方向に所定間隔離間して加熱刃で切断すると同時にその切断面を溶着して成る」構成は、各々、本願補正発明における「第１のシートおよび第２のシートが一体的に連続している折り曲げ部分」、「前記第１のシートおよび前記第２のシートが一体的に連続している折り曲げ部分を除いて周縁部の両側の２辺に沿って溶着されて形成され」る構成に相当することが明らかであるから、結局のところ、引用発明１における「長尺の延伸プラスチックフィルムを軸方向略中央から折返し、長手方向に所定間隔離間して加熱刃で切断すると同時にその切断面を溶着して成る溶断シール袋」は、本願補正発明の「一体的に連続する熱融着性合成樹脂によって形成されたシートを折り曲げて形成された矩形の第１のシートおよび矩形の第２のシートからなり、前記第１のシートと前記第２のシートとがその周縁部の３辺の連結部において連結されて袋部が形成されるとともに、前記第１のシートと前記第２のシートとが連結されずに開口部が形成されてなる袋体であって、前記第１のシートおよび前記第２のシートの前記連結部は、前記第１のシートと前記第２のシートとの間で折り曲げられ、そして前記第１のシートおよび前記第２のシートが一体的に連続している折り曲げ部分を除いて周縁部の両側の２辺に沿って溶着されて形成される、袋体。」に相当するものである。
　そして、引用発明１における「折り返し線附近の溶断シール部分」では、該溶断シール部分を構成する前記２つのシート部分が「折り返し線」を基準に対向する面を形成することが明らかであるから、該「折り返し線附近の溶断シール部分」を構成する前記２つのシート部分は、本願補正発明における「前記第１のシートと前記第２のシートとの対向する面」に相当し、また、引用発明１の「延伸プラスチックフィルムより低い温度で強固に接着するヒートシール剤」は、本願補正発明の「熱接着性接着剤」に相当するものである。
　一方、本願補正発明における「前記第１のシートと前記第２のシートとの対向する面であって前記開口部の端部の近傍であって前記連結部の内側の近傍において前記開口部の両隅に熱接着性接着剤で接着されてなる補強部が形成される」構成は、本願明細書の「・・・従来の封筒などの袋体では、開口部から収納物を出し入れするため、開口部周辺が破損しやすい。・・・」（段落【０００３】）、「・・・袋体において本来破れやすい開口部の両隅が補強部によって補強され、第１のシートおよび第２のシートの連結部が破損しにくくなる。」（段落【０００６】）等の記載からからみて、「前記第１のシートと前記第２のシートとの対向する面であって前記開口部の端部の近傍であって前記連結部の内側の近傍において前記開口部の両隅」を補強すべき部分と認識し、該補強すべき部分に熱接着性接着剤で接着されてなる補強部を形成することを意味していると解すべきであるから、本願発明における「前記第１のシートと前記第２のシートとの対向する面であって前記開口部の端部の近傍であって前記連結部の内側の近傍において前記開口部の両隅に熱接着性接着剤で接着されてなる補強部が形成される」構成は、引用発明における「折り返し線附近の溶断シール部分という補強すべき部分に、延伸プラスチックフィルムより低い温度で強固に接着するヒートシール剤を塗布することにより、前記補強すべき部分を強固に接着する」構成に対応するものである。
　
　以上を踏まえ、本願補正発明の用語を用いて表記しつつ、両発明を比較すると、
両発明は、
「一体的に連続する熱融着性合成樹脂によって形成されたシートを折り曲げて形成された矩形の第１のシートおよび矩形の第２のシートからなり、前記第１のシートと前記第２のシートとがその周縁部の３辺の連結部において連結されて袋部が形成されるとともに、前記第１のシートと前記第２のシートとが連結されずに開口部が形成されてなる袋体であって、前記第１のシートおよび前記第２のシートの前記連結部は、前記第１のシートと前記第２のシートとの間で折り曲げられ、そして前記第１のシートおよび前記第２のシートが一体的に連続している折り曲げ部分を除いて周縁部の両側の２辺に沿って溶着されて形成され、前記第１のシートと前記第２のシートとの対向する面であって補強すべき部分に熱接着性接着剤で接着されてなる補強部が形成される、袋体。」である点で一致し、以下の点で相違する。
（相違点）
　補強すべき部分が、本願発明では、「前記開口部の端部の近傍であって前記連結部の内側の近傍において前記開口部の両隅」であるのに対し、引用発明では、「折り返し線附近の溶断シール部分」である点。
　そこで、上記（相違点）について検討する。
　引用刊行物２には、既述の如く、「引用発明２」、すなわち、「熱可塑性樹脂をシールすることにより得られる袋状容器において、その口部両縁に裂け目が発生することを防止するために、袋状容器の開口部の両端部の内側近傍であって該開口部の両隅部に重点部分サイドシールを設けた袋状容器」の発明が記載されており、引用発明１及び引用発明２は、溶着ないしシール可能な合成樹脂製の袋及びその製造技術に関するものである点で技術分野を同じくし、当業者であれば、「口部両縁に裂け目が発生することを防止する」という前記引用発明２における技術課題の存在を引用発明１においても認識することは自然であるから、引用発明１において、「前記開口部の端部の近傍であって前記連結部の内側の近傍において前記開口部の両隅」部分をも補強すべき部分とすることは、上記引用発明２に接した当業者ならば、容易に想到し得たことである。
　したがって、本願補正発明は、引用発明１及び引用発明２に基づいて、当業者が容易に発明をすることができたものであるから、特許法第２９条第２項の規定により特許出願の際独立して特許を受けることができないものである。
　
（３）むすび
　以上のとおり、本件補正は、特許法第１７条の２第４項の規定、及び、同法第１７条の２第５項で準用する同法第１２６条第４項の規定に違反するものであり、特許法第１５９条第１項で準用する特許法第５３条第１項の規定により却下されるべきものである。
　
　
３．本願発明について
　平成１４年１１月１１日付けの手続補正は上記のとおり却下されたので、本願の請求項１に係る発明は、平成１４年３月１１日付け手続補正書で補正された明細書の特許請求の範囲の請求項１に記載された事項により特定される、以下のとおりのものである。
「熱融着性合成樹脂によって形成された第１のシートおよび熱融着性合成樹脂によって形成された第２のシートとからなり、前記第１のシートと第２のシートとがその周縁部の連結部において連結されて袋部が形成されるとともに第１のシートと第２のシートとが連結されずに開口部が形成されてなる袋体であって、前記第１のシートおよび前記第２のシートの前記連結部は、袋体の開口部を除き、前記第１のシートおよび前記第２のシートが一体的に連続している部分を除いて周縁部に沿って溶着されておよび／または前記第１のシートおよび前記第２のシートが一体的に連続している部分を除いて周縁部に沿って溶断されて形成され、前記第１のシートと前記第２のシートの対向する面であって前記開口部の端部の近傍であって連結部の内側の近傍において熱接着性接着剤で接着されてなる補強部が形成される、袋体。」
　ここで、上記「および／または」なる記載の存在により、本願請求項１は、以下の３通りの発明が認定され得る記載となっている。
　すなわち、
「熱融着性合成樹脂によって形成された第１のシートおよび熱融着性合成樹脂によって形成された第２のシートとからなり、前記第１のシートと第２のシートとがその周縁部の連結部において連結されて袋部が形成されるとともに第１のシートと第２のシートとが連結されずに開口部が形成されてなる袋体であって、前記第１のシートおよび前記第２のシートの前記連結部は、袋体の開口部を除き、前記第１のシートおよび前記第２のシートが一体的に連続している部分を除いて周縁部に沿って溶着されて形成され、前記第１のシートと前記第２のシートの対向する面であって前記開口部の端部の近傍であって連結部の内側の近傍において熱接着性接着剤で接着されてなる補強部が形成される、袋体。」なる発明（以下、「本願発明」という。）の他に、
「熱融着性合成樹脂によって形成された第１のシートおよび熱融着性合成樹脂によって形成された第２のシートとからなり、前記第１のシートと第２のシートとがその周縁部の連結部において連結されて袋部が形成されるとともに第１のシートと第２のシートとが連結されずに開口部が形成されてなる袋体であって、前記第１のシートおよび前記第２のシートの前記連結部は、袋体の開口部を除き、前記第１のシートおよび前記第２のシートが一体的に連続している部分を除いて周縁部に沿って溶着および溶断されて形成され、前記第１のシートと前記第２のシートの対向する面であって前記開口部の端部の近傍であって連結部の内側の近傍において熱接着性接着剤で接着されてなる補強部が形成される、袋体。」なる発明、並びに、
「熱融着性合成樹脂によって形成された第１のシートおよび熱融着性合成樹脂によって形成された第２のシートとからなり、前記第１のシートと第２のシートとがその周縁部の連結部において連結されて袋部が形成されるとともに第１のシートと第２のシートとが連結されずに開口部が形成されてなる袋体であって、前記第１のシートおよび前記第２のシートの前記連結部は、袋体の開口部を除き、前記第１のシートおよび前記第２のシートが一体的に連続している部分を除いて周縁部に沿って溶断されて形成され、前記第１のシートと前記第２のシートの対向する面であって前記開口部の端部の近傍であって連結部の内側の近傍において熱接着性接着剤で接着されてなる補強部が形成される、袋体。」なる発明が認定され得る記載となっている、
　
４．引用発明
　原査定の拒絶の理由に引用された引用例、および、その記載事項は、前記「２．（２）−２」に記載したとおりである。
　
５．対比、判断
　本願発明は、前記「２．（２）−１」で検討した本願補正発明から「熱融着性合成樹脂によって形成された、第１のシートおよび第２のシート」の限定事項である「一体的に連続する」との構成、及び、「折り曲げて形成された矩形」であるとの構成を省き、「連結部」の限定事項である「３辺の」との構成を省き、「前記第１のシートおよび前記第２のシートが一体的に連続している部分」の限定事項である「前記第１のシートと前記第２のシートとの間で折り曲げられ」、「折り曲げ部分」との構成、及び、「補強部」の限定事項である「前記開口部の両隅に」との構成を各々省いたものである。
　以上を踏まえ、本願発明の用語を用いて表記しつつ、本願発明と引用発明１とを比較すると、
両発明は、
「熱融着性合成樹脂によって形成された第１のシートおよび熱融着性合成樹脂によって形成された第２のシートとからなり、前記第１のシートと第２のシートとがその周縁部の連結部において連結されて袋部が形成されるとともに第１のシートと第２のシートとが連結されずに開口部が形成されてなる袋体であって、前記第１のシートおよび前記第２のシートの前記連結部は、袋体の開口部を除き、前記第１のシートおよび前記第２のシートが一体的に連続している部分を除いて周縁部に沿って溶着されて形成され、前記第１のシートと前記第２のシートの対向する面であって補強すべき部分に熱接着性接着剤で接着されてなる補強部が形成される、袋体。」
である点で一致し、以下の点で相違する。
（相違点）
　補強すべき部分が、本願発明では、「前記開口部の端部の近傍であって前記連結部の内側の近傍」であるのに対し、引用発明では、「折り返し線附近の溶断シール部分」である点。
　そして、上記（相違点）については、前記「２．（２）−３」に記述したとおり、引用発明１において、「前記開口部の端部の近傍であって前記連結部の内側の近傍」部分をも補強すべき部分とすることは、上記引用発明２に接した当業者ならば、容易に想到し得たことであるから、本願発明は、引用発明１及び引用発明２に基づいて、当業者が容易に発明をすることができたものである。
　
６．むすび
　以上のとおり、本願請求項１に係る発明は、その出願前日本国内または外国において頒布された引用刊行物１及び２に記載された発明に基づいて、その出願前にその発明の属する技術の分野における通常の知識を有する者が容易に発明をすることができたものであるから、特許法第２９条第２項の規定により特許を受けることができない。
　したがって、残余の請求項に係る発明について検討するまでもなく、本願は拒絶すべきものであるから、結論のとおり審決する。